(57)【特許請求の範囲】
【請求項１】
シート材上に画像を形成するための画像形成エンジン部と、当該画像形成エンジン部によって画像形成された前記シート材を排出ローラによって排出する排出口が設けられた装置縦壁部と、少なくとも上端部が前記排出口から所定距離離間され前記排出口から排出した前記シート材を搬送方向先端を下向きにして立て掛けて支持する縦壁支持部を備えた排紙収容部と、前記排出ローラと前記排出口との間に設けられ、前記シート材を検知するセンサと、を含んで構成される画像形成装置であって、
駆動手段の駆動力により前記排出口下側周縁を回転中心として、前記装置縦壁部に沿った状態の待避位置から略水平状態の最大回転位置までの範囲で回動可能なガイド部材と、
前記シート材の搬送方向寸法が前記縦壁支持部の高さ未満の場合には、前記シート材の排出後端が前記センサによって検知された後、所定時間後に該ガイド部材を前記待避位置から、該待避位置と前記最大回転位置との間の中間位置まで移動させることで、該シート材の前記縦壁支持部への倒れこみを補助するように前記駆動手段を制御し、前記シート材の搬送方向寸法が前記縦壁支持部の高さ以上の場合には、前記排出口から排出された前記シート材の排出先端が前記排紙収容部に案内されるまでは前記ガイド部材を前記待避位置に維持し、前記シート材の排出先端が前記排紙収容部に入って該シート材が前記排出口から所定の長さ分排出された時点で前記ガイド部材を前記最大回転位置または前記中間位置まで移動させることで、該シート材が前記縦壁支持部に倒れこみ、かつ該シート材の後端部が縦壁支持部上端から外方へ垂れ下がるように前記駆動手段を制御する移動制御手段と、
を有する画像形成装置。
【請求項２】
前記縦壁支持部の上端部に連続して、当該縦壁支持部からはみ出した前記シート材の後端部の保持時の屈曲を緩和するための補助支持部をさらに有することを特徴とする請求項１記載の画像形成装置。
【請求項３】
前記移動制御手段が、前記シート材の排出動作中における前記ガイド部材の回動動作時期を、予め定められた規格の下でのシート材のサイズによって制御することを特徴とする請求項１又は請求項２記載の画像形成装置。
【請求項４】
前記移動制御手段が、前記シート材の排出動作中における前記ガイド部材の回動動作位置を、前記シート材の材質によって制御することを特徴とする請求項１乃至請求項３の何れか１項記載の画像形成装置。
【請求項５】
前記シート材の排出動作中における前記ガイド部材の回動動作時期及び回動動作位置と、予め定められた規格の下での前記シート材のサイズ及び材質とを対応付けて予め記憶した記憶手段を更に有し、
前記移動制御手段が、入力された前記サイズ及び前記材質に基づいて、前記記憶手段から前記回動動作時期及び前記回動動作位置を読み出し、前記ガイド部材が該回動動作時期に該回動動作位置に配置されるように前記駆動手段を制御する請求項１又は請求項２記載の画像形成装置。
【発明の詳細な説明】
【技術分野】
【０００１】
本発明は、特に、ＪＩＳ規格の下でのＡ２サイズ以上を大サイズとした場合、当該大サイズのシート材からＡ４サイズ程度の小サイズのシート材までの、複数サイズのシート材に画像を形成することができる画像形成装置に係り、特に、画像形成装置から排出された各種サイズのシート材を収容する排紙収容部が設けられた画像形成装置に関する。
【背景技術】
【０００２】
画像形成装置外部に付設され、印字済みのシート材を排紙トレイ上に水平に排出した状態で収納するよう横型排紙スタッカでは、Ａ０等の大判サイズを収容する為にシート材サイズに対応するスペースを必要とするため、同じく外付け型として、プリンタ本体の外部に付設される形の排紙収容装置が知られている。
【０００３】
このような排紙収容装置は、排出口が設けられた装置縦壁部とによって、略Ｕ字（或いは略Ｖ字）型を形成する縦壁支持板を備えている。また、縦壁支持板には、その上端部に連続して、略水平方向の補助板が形成されている。
【０００４】
ここで、Ａ０等の大判サイズのシート材が排出されると、この大判サイズのシート材は、その排出先端を下向きにして、略垂直方向の前記縦壁支持板に立て掛けられ、縦壁支持部の高さを超えたシート材の後端部が補助板に横たわるように屈曲されて収納されている。
【０００５】
上記Ａ０等の大判サイズのシート材（先行排出）が補助板に垂れ下がって保持されているときは、縦壁支持部が後続のシート材を保持するのにさほど問題はない。
【０００６】
排紙収容装置の形状は、シート材の折り返し点となる排紙収容装置の上部先端と装置縦壁部側の距離が遠いほどシート材の収容量を増加させることができる。
【０００７】
また、前記距離が長いほど、折り返さないサイズ（収容装置高さより小さいサイズ、例えばＡ３縦サイズ）の収容性が良い。
【０００８】
なお、関連技術として特許文献１には、転写材出口から排出された転写材を受ける上方が開放したほぼ垂直方向に延びる断面略Ｕ字状のトレイと、トレイに沿ってトレイの深さ方向に延びる磁性支持体と、該支持体に対し磁気吸着により着脱可能に取り付けられる調整部材とを有し、該調整部材はトレイ内を横切ってトレイの底面を形成し、調整部材をトレイの深さ方向に移動することによりトレイの深さを調整し得るようにしたことを特徴としている。
【特許文献１】実開平０４−０８８４５９号公報
【発明の開示】
【発明が解決しようとする課題】
【０００９】
しかしながら、収容装置高さより長いサイズ（例えばＡ０サイズ）のシート材を折り返す場合、その動作挙動の途中にシート材が、自身の自重に耐えられず蛇行変更し、折り返すことが出来なくなる。このような挙動は、特にトレーシングペーパー等の、所謂腰が弱いシート材の場合には顕著となる。
【００１０】
さらに、先行して排出されたシート材が、後続のシート材の先端を塞いでしまい、収容がうまく行われないといった不具合がある。
【００１１】
また、収容装置高さにほぼ近いサイズ（例えばＡ２縦サイズ）では、先に収容した排出シート材の後端が確実に縦壁支持板に立て掛けられ、装置縦壁部との隙間に、後続のシート材先端が導かれないとシート材は順序良く収容されないばかりか、最悪の場合、先行シート材が丸まって排紙収容装置の開口部を塞いでしまうと、順次排出される後続のシート材の収容が出来なくなってしまい、収容装置外部に押し出されて落下するといった不具合がある。
【００１２】
本発明は上記事実を考慮し、大サイズ（例えば、ＪＩＳ規格上のＡ２サイズ以上）から小サイズまでのシート材を、当該シート材の材質に拘わらず、排出順序に沿い、かつ整然と収容することができる画像形成装置を得ることが目的である。
【課題を解決するための手段】
【００１３】
本発明は、シート材上に画像を形成するための画像形成エンジン部と、当該画像形成エンジン部によって画像形成された前記シート材を排出ローラによって排出する排出口が設けられた装置縦壁部と、少なくとも上端部が前記排出口から所定距離離間され前記排出口から排出した前記シート材を搬送方向先端を下向きにして立て掛けて支持する縦壁支持部を備えた排紙収容部と、前記排出ローラと前記排出口との間に設けられ、前記シート材を検知するセンサと、を含んで構成される画像形成装置であって、駆動手段の駆動力により前記排出口下側周縁を回転中心として、前記装置縦壁部に沿った状態の待避位置から略水平状態の最大回転位置までの範囲で回動可能なガイド部材と、前記シート材の搬送方向寸法が前記縦壁支持部の高さ未満の場合には、前記シート材の排出後端が前記センサによって検知された後、所定時間後に該ガイド部材を前記待避位置から、該待避位置と前記最大回転位置との間の中間位置まで移動させることで、該シート材の前記縦壁支持部への倒れこみを補助するように前記駆動手段を制御し、前記シート材の搬送方向寸法が前記縦壁支持部の高さ以上の場合には、前記排出口から排出された前記シート材の排出先端が前記排紙収容部に案内されるまでは前記ガイド部材を前記待避位置に維持し、前記シート材の排出先端が前記排紙収容部に入って該シート材が前記排出口から所定の長さ分排出された時点で前記ガイド部材を前記最大回転位置または前記中間位置まで移動させることで、該シート材が前記縦壁支持部に倒れこみ、かつ該シート材の後端部が縦壁支持部上端から外方へ垂れ下がるように前記駆動手段を制御する移動制御手段と、を有している。
【００１４】
本発明によれば、ガイド部材は、画像形成後に排出されるシート材の搬送方向寸法が所定値未満（以下、便宜上、「小サイズ」という）の場合に、装置縦壁部に沿う待避位置に維持されている。これにより、小サイズのシート材は、ガイド部材に干渉することなく、排紙収容部の縦壁支持部に立て掛けられ収容される。
【００１５】
一方、画像形成後に排出されるシート材の搬送方向寸法が所定値以上（以下、便宜上、「大サイズ」という）の場合、特に、縦壁支持部の高さよりも長いと、搬送方向後端部の挙動は不安定となる。そこで、移動制御手段では、駆動手段を制御して、ガイド部材を待避位置から前記所定角度の範囲内の特定位置まで移動させる。この特定位置は、大サイズのシート材の寸法（縦×横寸法の内、主として搬送方向の寸法）に応じて予め設定されていることが好ましい。
【００１６】
また、サイズによっては（縦壁支持部の高さ寸法と略同等のサイズ）、待避位置からのガイド部材の回動開始時期も考慮することが好ましい。
【００１７】
このガイド部材によって、シート材の搬送方向後端部の挙動が安定し、縦壁支持部に確実に立て掛けられ、次以降のシート材の収容に際して、集積順序が維持される。
【００１８】
本発明において、前記縦壁支持部の上端部に連続して、当該縦壁支持部からはみ出した前記シート材の後端部の保持時の屈曲を緩和するための補助支持部をさらに有することを特徴としている。
【００２１】
また、本発明において、前記移動制御手段が、前記シート材の排出動作中における前記ガイド部材の回動動作時期を、予め定められた規格の下でのシート材のサイズによって制御することを特徴としている。
【００２４】
例えば、ＪＩＳ規格では、Ａ０、Ａ１，・・・Ａ６やＢ０、Ｂ１、・・・Ｂ６等、サイズが規格化されており、それぞれのサイズに合わせたガイド部材の特定角度（待避位置を含む）を定めておけば、移動制御手段によるガイド部材の回動制御が容易となる。
【００２５】
また、本発明において、前記移動制御手段が、前記シート材の排出動作中における前記ガイド部材の回動動作位置を、前記シート材の材質によって制御することを特徴としている。
【００２６】
シート材は、普通紙、トレーシングペーパー、厚紙等が材質が異なる場合がある。厚紙は腰が強いため排出途中で、搬送後端部が変形するといった挙動は少ないが、トレーシングペーパー等は腰が弱いため、搬送後端部が変形するといった挙動を起こし易い。そこで、シート材の材質毎に、ガイド部材の動作タイミングや特定位置等を設定しておくことで、材質に関係なく、安定した収容が可能となる。
更に、本発明において、前記シート材の排出動作中における前記ガイド部材の回動動作時期及び回動動作位置と、予め定められた規格の下での前記シート材のサイズ及び材質とを対応付けて予め記憶した記憶手段を更に有し、前記移動制御手段が、入力された前記サイズ及び前記材質に基づいて、前記記憶手段から前記回動動作時期及び前記回動動作位置を読み出し、前記ガイド部材が該回動動作時期に該回動動作位置に配置されるように前記駆動手段を制御することを特徴としている。
【発明の効果】
【００２７】
以上説明した如く本発明では、画像形成装置から排出された各種サイズのシート材を収容する排紙収容部が小型でかつ簡単に構成されるとともに、サイズにかかわらず順序良く確実に収容され、トレペなど腰の弱いシート材も従来は単枚の収容のみであったが、多数枚収容が可能になる。
【発明を実施するための最良の形態】
【００２８】
図１には、本実施の形態に係るプリンタ１０が示されている。
【００２９】
プリンタ１０は、大きく分けて上部がプリントエンジン部１２、下部は給紙ユニット部１４となっている。
【００３０】
給紙ユニット部１４には、シート材１６として連続給紙するたとえばＡ０、Ａ１、Ａ２、Ａ３、Ａ４等の規格定型サイズに対応する幅寸法の給紙ロール１８が装填可能な給紙ロール装填部２０が設けられている。この給紙ロール装填部２０は、２種類の給紙ロール１８が並列に装填可能となっている。
【００３１】
ここで、シート材１６のサイズ等が指定されると、指定されたシート材１６のサイズの給紙ロール１８から、シート材１６が繰り出されるようになっている。
【００３２】
このシート材１６の繰り出し方向には、シート材１６を裁断するカッター２２が配設されている。ここで、シート材の繰り出し時に、前記指定された定型サイズの長さが検出されると、当該長さ検出信号に基づいてカッター２２が作動し、定型のサイズとしてプリントエンジン部１２へ搬送することができる。
【００３３】
給紙ロール装填部２０のさらに下部には、上下２段のカットシート装填部２４が設けられている。すなわち、シート材１６としては、給紙ロール１８に代えて、定型カットされた枚葉紙、あるいはフィルム材なども使用できる構造となっている。
【００３４】
プリントエンジン部１２には、シート材に画像を形成（情報転写）する感光体ドラム２６が配設されている。なお、図示は省略したが、感光体ドラム２６の周囲には、帯電装置、光走査装置、現像装置等が配設されている。
【００３５】
これにより、感光体ドラム２６の周面は、一様に帯電された後、光走査装置によって画像データに基づく静電潜像が形成され、形成された静電潜像を現像装置によってトナー現像する。なお、画像データは、外部端末機器（パーソナルコンピュータ等）や記憶媒体から読み取り入力された文字や画像などの様々な形式（jpeg、tiff等）の情報を、指定の定型サイズのシート材上に形成して出力するための信号（主として、bmp）に変換して生成する。
【００３６】
感光体ドラム２６の図１の下部には転写部２８が設けられており、前記給紙ユニット部１４から搬送されるシート材１６が、感光体ドラム２６の周面に所定の圧力で接触しながら通過する。このとき、感光体ドラム２６上のトナー画像がシート材１６に転写する構成である。
【００３７】
感光体ドラム２６よりもシート材搬送方向下流側には、定着装置３０が配設され、トナー画像が転写されたシート材１６が通過することで加熱、加圧処理され、画像が定着される。
【００３８】
画像が定着したシート材１６は、一対の排紙ローラ３２によって排出口３４から排出されるようになっている。なお、この排紙ローラ３２と排出口３４との間には、シート材１６を検知するセンサ３６が備えられている。センサ３６は、アクチュエーター型等のシート材１６に接触することで接点が切り替わる構成であってもよいし、光電変換型等の非接触でシート材１６の有無を検出し接点が切り替わる構成であってもよい。
【００３９】
プリンタ１０は、図示しないコンソールパネルに、使用されるロール紙やカット紙の紙質・厚さを該当する装填部毎（給紙ロール装填部２０及びカットシート装填部２４）に設定する手段が備えられており、制御部では、画像形成されるシート材１６ごとにその幅・長さ・紙質・厚みが判別できる。
【００４０】
ここで、本実施の形態のプリンタ１０の排出口２４には、画像形成が終了したシート材１６を収容する収容部３８が設けられている。
【００４１】
収容部３８は、排出口３４が設けられたハウジング壁面１０Ａの下部に設けられた台座４０と、この台座４０から画像形成装置のハウジング壁面１０Ａ側に沿って立ち上げられた内側保持部４２と、この内側保持部４２と所定間隔を持って対峙するように立ち上げられた外側保持部４４とによって構成されている。前記内側保持部４２と外側保持部４４とで、略Ｖ字型のシート材収容部空間が形成される。
【００４２】
なお、内側保持部４２及び外側保持部４４は、複数本の棒状部材によって形成されており、本実施の形態では、排出されるシート材１６の幅方向に沿って互いに平行に３本配列されている。
【００４３】
外側保持部４４の上部４４Ａには、外側保持部４４に連続して、プリンタ１０から離れる方向に略直角に屈曲された補助支持部４６が形成されている。
【００４４】
本実施の形態のプリンタ１０の収容部３８は、Ａ０、Ａ１サイズシートは折り返して収容し、Ａ２（長さ594mm）以下、Ａ３、Ａ４は折り返さないで収容するよう、外側保持部４４の上部４４Ａの曲折部高さが設定されていると共に、折り返して収容されるＡ０サイズシートの外側へ垂れ下がった先端が床に着かない様に補助支持部４６の長さが設定されている。
【００４５】
上記構成の収容部３８に対して、本実施の形態では、排出口３４の開口部の下側周縁に案内板４８を配設した。
【００４６】
図２に示される如く、案内板４８はベアリングを介して軸５０に回転可能に支持されている。このため、案内板４８は、軸５０を中心にハウジング壁面１０Ａに沿った状態（略垂直状態／ホームポジション４８ｄ）から前記補助支持部４６の上面の傾斜角度よりも若干緩やかな状態（略水平状態／最大回転位置４８ａ）の範囲で回転可能となっている。
【００４７】
図２に示される如く、軸５０の軸線方向一端部にはスプロケット５２が取り付けられている。スプロケット５２には、無端のベルト５４が巻き掛けられている。無端のベルト５４は、段付の中間スプロケット５６の小径部に巻き掛けられている。この中間スプロケット５６の大径部には、無端のベルト５８が巻き掛けられており、さらに無端のベルト５８は、ステッピングモーター６０の回転軸６０Ａに取り付けられたスプロケット６２にも巻き掛けられている。このため、ステッピングモーター６０の回転軸６０Ａが回転することで、案内板４８を前記回転範囲内の所望の位置へ位置決めすることが可能となっている。
【００４８】
なお、案内板４８の回転位置は、ステッピングモーター６０の駆動ステップパルス数に対応付けされており、制御的には、このステップパルス数を指定することで、案内板４８を所望の位置へ回転させている。本実施の形態では、案内板４８の回転位置は、前記ポームポジション４８ｄ、最大回転位置４８ａの他、中間位置として補助支持部４６の上面の傾斜面よりも若干急な第１の位置４８ｂ、前記ホームポジョン４８ｄから若干回転した第２の位置４８ｃに位置決めするようにしている。なお、それぞれの位置の関係を傾斜角度で示すと、ホームポジション４８ｄを最も急傾斜とした場合、４８ｄ＞４８ｃ＞４８ｂ＞４８ａの関係となっている。
【００４９】
図３は、プリンタ１０による画像形成時に設定されるシート材１６のサイズ、材質に基づいて案内板４８を回転させ、所望の位置へ位置決めするための制御を機能的に示したブロック図である。
【００５０】
画像形成処理制御部７０に装填部の指定（サイズ指定でもよい）、並びにプリント指示があると、前述したよう給紙ユニット部１４からシート材１６を取り出し、プリントエンジン部１２へ搬送し、プリントエンジン部１２において画像形成処理が実行される。
【００５１】
この画像形成処理制御部７０には、装填部−サイズ・材質変換テーブル７２が接続されており、前記装填部の指定があった時点でシート材１６のサイズと材質を認識し、その結果を案内板移動パターン特定部７４へ送出する。
【００５２】
案内板移動パターン特定部７４では、入力されたサイズ・材質に基づいて、予め設定された案内板移動パターンメモリ７６から案内板移動パターンを読み出す。
【００５３】
一例として、案内板移動パターンメモリ７６には、以下の表１に示されるデータが記憶されている。
【００５４】
【表１】
0004752439.tif 000002
何れの場合も、センサ３６がシート材１６の後端を検出した後、１秒後に案内板４８をホームポジション４８ｄへ移動させる。
【００５５】
案内板移動パターン特定部７４は、パルス数変換部７８に接続されている。このパルス数変換部７８では、前記案内板移動パターンデータに基づいてステッピングモーター６０の駆動パルスを設定し、モータ駆動制御部８０へ送出する。
【００５６】
モータ駆動制御部８０では、入力される駆動パルスに基づいてステッピングモーター６０を駆動することになるが、この駆動タイミングは搬送同期部８２からの信号によって制御されるようになっている。
【００５７】
搬送同期部８２は、前記画像形成処理制御部７０に接続されており、前記センサ３６からの信号、搬送速度等に基づいて、排出口３４からシート材１６が排出を開始してから排出を終了するまでのタイムスケジュール設定し、モータ駆動制御部８０へ同期信号として出力する。これにより、モータ駆動制御部８０では、それぞれのサイズに応じたタイミングで、それぞれのサイズに適した位置に案内板４８を移動させることが可能となる。
【００５８】
以下に本実施の形態の作用を説明する。
【００５９】
操作者が入力した信号又は他の装置から入力された画像情報に基づき、画像を記録する媒体として給紙ユニット部１４のシート材１６が選択されると、シート材１６が引き出され、プリントエンジン部１２に送り込まれる。
【００６０】
プリントエンジン部１２では、感光体ドラム２６にトナー像が形成され、このトナー像が転写部２８との対向部においてシート材１６上に転写され、定着装置２８を通過することによって加熱及び加圧され、定着画像となる。
【００６１】
トナー像が定着されたシート材１６は、大サイズのシート材１６に対応できる充分な幅を有する排出口３４から排出ローラ３２により装置外に排出される。そして、重力によりシート材１６の先端は下方へ垂れ下がり、対峙する内側保持部４２と外側保持部４４の間に落とし込まれる。
【００６２】
図４に示される如く、折り返すサイズ（高さＨより長いサイズ例えばＡ０サイズ）の場合、センサ３６での検知タイミングから演算された結果、シート材先端が排出口３４から排出し始め、シート材先端が収容部内部に入り、所定の長さ分排出されるタイミングで、図４に示される如く、案内板４８がステッピングモーター６０の駆動により持ち上がり、排出し続けるシート材１６を持ち上げるように案内する（第１の位置４８ｂ）。
【００６３】
センサ３６での検知タイミングから演算された結果、シート材後端が案内板４８に達し、シート材１６の収容が終了すると、次の排出シート材１６の先端が案内板４８に達する前に、案内板４８は下がり（ホームポジション４８ｄ）、次の排出シート材１６の先端は内側保持部４２と外側保持部４４の間に案内される（図５参照）。
【００６４】
外側保持部４４にほぼ近い長さのシート材１６の例（例えば、Ａ２等）では、排出口３４から排出されたシート材先端が収容部に案内されるまでは案内板４８は下がった状態で（ホームポジション４８ｄ）、シート材１６の全長さの１／２が内側保持部４２、外側保持部４４間に案内された時点で、案内板４８は持ち上がり、シート材１６が外側保持部４４側に倒れこむ様にシート材１６の姿勢を補助する。
【００６５】
案内板４８が上がる位置（角度）は、トレーシングペーパーのような腰の弱いシート材１６では倒れこみを補助する為、案内板は高い位置（最大回転位置４８ａ）が好ましく、腰の強い厚紙ではスムーズにシート材１６を内側保持部４２と外側保持部４４の間に落下させる為に、それより低い位置（第１の位置４８ｂ）の方が好ましい（図６参照）。
【００６６】
外側保持部４４の高さＨより短い長さのシート材１６（例えばＡ３長さ）の例では、シート材１６は縦方向収容のうちシート材後端側は外側保持部４４側に確実に倒れこんでいる必要がある。そのため、下がった状態で静止している案内板４８（ホームポジション４８ｄ）は、シート材後端が排出ローラ３２を抜けた後、第２の位置４８ｃに上がりシート材１６の外側保持部４４側への倒れを補助する（図７参照）。
【００６７】
以上説明したように本実施の形態では、主として大サイズを取り扱う、大型プリントサイズ用の画像形成装置において、画像形成処理が終了したシート材１６を収容部３８に収容する場合に、そのサイズ、材質（紙質）に応じて、案内板４８を所望の位置に回転させ（例えば、最大回転位置４８ａ、第１の位置４８ｂ、第２の位置４８ｃ、ホームポジション４８ｄの４箇所）、サイズや材質に関わらず、確実に排出順どおりに収容部の外側保持部４４に重ねていくことができる。例えば、腰の弱いシート材１６であっても、確実に外側保持部４４へ送り出すことができ、Ａ０等の大サイズのシート材１６であっても、収容部内で所謂ジャムを引き起こすようなことを防止することができる。
【図面の簡単な説明】
【００６８】
【図１】本実施の形態である画像形成装置を示す概略構成図である。
【図２】案内板の回転移動駆動系を示す拡大図である。
【図３】案内板を回転移動させるための制御系を機能的に示したブロック図である。
【図４】大サイズ（Ａ０相当）のシート材を収容する状態を示す収容部の概略側面図である。
【図５】大サイズ（Ａ０相当）のシート材を複数枚収容する状態を示す収容部の概略側面図である。
【図６】大サイズ（Ａ２相当）のシート材を収容するときの状態を示す収容部の概略側面図である。
【図７】小サイズ（Ａ３相当）のシート材を複数枚収容するときの状態を示す収容部の概略側面図である。
【符号の説明】
【００６９】
１０    プリンタ（画像形成装置）
１０Ａ    ハウジング壁面（装置縦壁部）
１２    プリントエンジン部
１４    給紙ユニット部
１６    シート材
１８    給紙ロール
２０    給紙ロール装填部
２２    カッター
２４    カットシート装填部
２６    感光体ドラム
２８    転写部
３０    定着装置
３２    排紙ローラ
３４    排出口
３６    センサ
３８    収容部（排紙収容部）
４０    台座
４２    内側保持部
４４    外側保持部（縦壁支持部）
４６    補助支持部
４８    案内板（ガイド部材）
４８ａ    最大回転位置
４８ｂ    第１の位置
４８ｃ    第２の位置
４８ｄ    ホームポジション（待避位置）
５０    軸
５２    スプロケット
５４    無端のベルト
５６    中間スプロケット
５８    無端のベルト
６０    ステッピングモーター（駆動手段）
６０Ａ    回転軸
６２    スプロケット
７０    画像形成処理制御部
７２    装填部−サイズ・材質変換テーブル（移動制御手段）
７４    案内板移動パターン特定部（移動制御手段）
７６    案内板移動パターンメモリ（移動制御手段）
７８    パルス数変換部（移動制御手段）
８０    モータ駆動制御部（移動制御手段）
８２    搬送同期部（移動制御手段）
【図１】
0004752439.tif 000003
【図２】
0004752439.tif 000004
【図３】
0004752439.tif 000005
【図４】
0004752439.tif 000006
【図５】
0004752439.tif 000007
【図６】
0004752439.tif 000008
【図７】
0004752439.tif 000009